【事件の表示】
　特許第３３２４５４４号「光ピックアップ送り機構」の請求項１ないし３に係る特許に対する特許異議の申立てについて、次のとおり決定する。
【結　論】
　訂正を認める。
　特許第３３２４５４４号の請求項１ないし３に係る特許を取り消す。
【理　由】
Ｉ．手続の経緯
　特許第３３２４５４４号の請求項１ないし３に係る発明についての出願は、平成１１年２月２４日に特許出願された特願平１１−４６５９２号であって、平成１４年７月５日にその発明について特許権の設定がされ、その後、特許異議申立人　北村清隆　より特許異議の申立てがなされ、取消しの理由が通知され、その指定期間内である平成１５年７月２２日に訂正請求がなされたものである。
　　
　　
　　
ＩＩ．訂正の適否についての判断
　１．訂正の内容　
　　ａ．特許明細書の【請求項１】中の「前記ネジ軸と係合し」を、「前記ネジ軸と上方から係合し」と訂正する。
　　ｂ．特許明細書の【請求項１】中の「前記レール副軸に押圧する」を、「前記レール副軸に上から下へ押圧する」と訂正する。
　　ｃ．特許明細書の【０００９】中の「前記ネジ軸と係合し」を、「前記ネジ軸と上方から係合し」と訂正する。
　　ｄ．特許明細書の【０００９】中の「他端部を前記レール副軸に押圧する」を、「他端部を前記レール副軸に上から下へ押圧する」と訂正する。
　
　というものである。
　
　
　２．訂正の目的の適否、新規事項の有無、及び特許請求の範囲の拡張・変更の存否
　上記ａ．の【請求項１】に係る発明は、発明を特定する事項である“前記ネジ軸と係合し”を、これに含まれるより下位概念である「前記ネジ軸と上方から係合し」に、特許公報の【００１３】等の記載に基づいて特定するものであり、上記訂正は特許請求の範囲の減縮を目的とした訂正に該当する。
　
　上記ｂ．の【請求項１】に係る発明は、発明を特定する事項である“前記レール副軸に押圧する”を、これに含まれるより下位概念である「前記レール副軸に上から下へ押圧する」に、特許公報の【００１３】【００１５】【図１】【図３】等の記載に基づいて特定するものであり、上記訂正は特許請求の範囲の減縮を目的とした訂正に該当する。
　
　上記ｃ．ｄの【０００９】中の“前記ネジ軸と係合し”を「前記ネジ軸と上方から係合し」、“他端部を前記レール副軸に押圧する”を「他端部を前記レール副軸に上から下へ押圧する」なる各訂正は、請求項１の訂正に伴い、これらと整合させようとする訂正であり、明瞭でない部分の釈明を目的とした訂正に相当する。
　　
　要するに、上記の各訂正は、特許請求の範囲の減縮ないし伴う明細書の整合及び明瞭でない部分の釈明に該当し、また新規事項の追加に該当せず、実質的に特許請求の範囲を拡張し、又は変更するものでない。
　
　
　３．むすび
　以上のとおりであるから、上記訂正は特許法第１２０条の４第第２項及び同条第３項において準用する特許法第１２６条第２項及び第３項の規定に適合するので、当該訂正を認める。
　
　
　
ＩＩＩ．特許異議の申立てについての判断
　１．申立ての理由の概要
　特許異議申立人　北村　清隆　は、本件特許の請求項１ないし３に係る発明（訂正前のその特許請求の範囲の各請求項に記載された発明、以下「訂正前本件発明」という。）は、証拠として、　　　
　
　　　甲第１号証（刊行物１）：特開平１０−１０６１８６号公報
　
を提示して、訂正前本件発明１ないし３は、甲第１号証の発明に記載された発明と実質同一であり、その構成に何ら困難性も有さない。また、何れも甲第１号証に記載された発明に基づいてその発明の属する技術における通常の知識を有するものが容易に発明をすることができたものであるから、特許法第２９条第２項の規定により特許を受けることができないものである。
　したがって、特許法第１１３条第２号の規定に該当するので取り消されるべきものである旨主張している。
　
　
　２．本件発明
　特許第３３２４５４４号の本件請求項１ないし３に係る発明（以下、「本件発明１ないし３」という）は、上記ＩＩ．２．で示したように訂正が認められるから、平成１５年７月２２日付けの訂正明細書の特許請求の範囲の請求項１ないし３に記載された事項により特定される次のとおりのものである。
　
　「【請求項１】　光ディスクの半径方向に移動可能に支持され、前記光ディスクに記録されている情報を光学的に読み取る光ピックアップ部と、前記光ピックアップ部の側方に配置され回転駆動されるネジ軸と、前記光ピックアップ部の一端部を貫通支持するレール主軸と、前記光ピックアップ部の他端部を支持するレール副軸と、前記ネジ軸と上方から係合し、前記光ピックアップ部の前記一端部に固定される弾性力を有するアーム部とを具備し、前記光ピックアップ部の前記一端部に固定される前記アーム部の弾性力により、前記レール主軸を支点として前記光ピックアップ部の他端部を前記レール副軸に上から下へ押圧することを特徴とする光ピックアップ送り機構。
　　【請求項２】　前記アーム部は、前記ネジ軸との係合接触面が前記レール副軸を押圧する前記光ピックアップ部の前記他端部の接触面と平行であることを特徴とする請求項１記載の光ピックアップ送り機構。
　　【請求項３】　前記アーム部は、前記光ピックアップ部と一体成型されていることを特徴とする請求項１記載の光ピックアップ送り機構。」
　
　
　３．引用刊行物に記載された発明
　当審が平成１５年５月１２日付けで通知した理由において引用した刊行物１は、振動・騒音を抑制しての光ピックアップ送り機構の構成のものであって、以下の発明が記載されている。
　　
　　１）“【０００３】図９は従来の情報記憶装置のトラバースの一例を示すものである。図８において、２０１はトラバース部品を取り付けるシャーシである。２０２はシャーシ２０１に設けられたディスクモータ、２０３はディスクモータ２０２の回転軸に圧入されたターンテーブルであり、ディスクをターンテーブル２０３に載置してディスクモータ２０２により回転する。２０４は回転したディスクの情報を再生、または録再するピックアップであり、２０５はシャーシ２０１に設けられて、ピックアップ２０４をディスク半径方向（Ａ方向）に移動可能にガイドする一対のガイドシャフトである。２０６はガイドシャフト２０５に平行で、円柱状の表面に螺旋溝２０７を有し、シャーシ２０１に設けられた一対の軸受け２０８により回転可能に設けられたリードスクリューである。２０９はリードスクリュー２０６の螺旋溝２０８に係合する歯２１０を有するピックアップ２０４に設けられたナットである。このナット２０９は弾性的にリードスクリュー２０６に押圧している。２１１はトラバースモータであり、２１２はトラバースモータに圧入されたモータギヤであり、２１３はリードスクリューに圧入され、モータギヤ２１２に噛み合うスクリューギヤである。図１０に従来例における、ナット２０９を示す。”
　　２）“【０００４】以上のように構成された従来の情報記憶装置について、以下その動作について説明する。まず、ディスクモータ２０２を回転させて、ターンテーブル２０３に載置されたディスクを回転させ、ディスクのトラック方向の情報をピックアップ２０４により読み取る。さらに、トラバースモータ２１１を回転させるとモータギヤ２１２、スクリューギヤ２１３を介して、リードスクリュー２０６を回転する。リードスクリュー２０６の螺旋溝２０７とナット２０９の歯２１０は係合しているため、リードスクリュー２０６が回転すると、ナット２０９はリードスクリュー２０６の軸方向に送られる。リードスクリュー２０６はガイドシャフト２０５に平行に設けられており、ナット２０９が設けられたピックアップ２０４はガイドシャフト２０５に沿って、ディスク半径方向（Ａ方向）に移動する。よって、ディスクの任意のトラック近傍にピックアップ２０４を移動できる。以上のように、ディスクの回転とピックアップ２０４のディスクの半径方向の移動により、ディスクの任意の位置の情報を読み取り、または読み書き可能となる。
　　３）“【０００５】【発明が解決しようとする課題】・・・ ナット２０９にバネ性を持たせて歯２１０をリードスクリュー２０６の螺旋溝２０７に押圧し、ガタなく係合させている。このナット２０９がリードスクリュー２０６にバネ性をもって係合している・・・”
　
　　要するに、刊行物１には特に【図９】の実施例等総合勘案すると、以下の発明が記載されているものと認める。
　“情報記憶媒体を保持する保持手段と、前記情報記憶媒体の情報を読み取る、または読み書きする読取手段と、前記保持手段または前記読取手段の位置を移動させて前記情報記憶媒体における情報を読み取る、または読み書きする位置を変える送り手段とを備える装置において、２０１はトラバース部品を取り付けるシャーシで、２０２はシャーシ２０１に設けられたディスクモータで、２０３はディスクモータ２０２の回転軸に圧入されたターンテーブルで、ディスクをターンテーブル２０３に載置してディスクモータ２０２により回転し、２０４は回転したディスクの情報を再生、または録再するピックアップであり、２０５はシャーシ２０１に設けられて、ピックアップ２０４をディスク半径方向に移動可能にガイドする一対のガイドシャフトで、２０６はガイドシャフト２０５に平行で、円柱状の表面に螺旋溝２０７を有し、シャーシ２０１に設けられた一対の軸受け２０８により回転可能に設けられたリードスクリューで、２０９はリードスクリュー２０６の螺旋溝２０８に係合する歯２１０を有するピックアップ２０４に設けられたナットで、ナット２０９は弾性的にリードスクリュー２０６に押圧した光ピックアップ送り機構を有する情報記憶装置。”（以下、「刊行物１記載の発明」という）
　
　
　４．対比・判断
　　１）一致点及び相違点
　上記３．で指摘の事項及び該当図面等を勘案して、刊行物１記載の発明の“情報記憶媒体を保持する保持手段と、前記情報記憶媒体の情報を読み取る、または読み書きする読取手段と、前記保持手段または前記読取手段の位置を移動させて前記情報記憶媒体における情報を読み取る、または読み書きする位置を変える送り手段とを備える装置”“２０５はシャーシ２０１に設けられて、ピックアップ２０４をディスク半径方向（Ａ方向）に移動可能にガイドする一対のガイドシャフトである”等は、本件発明の「光ディスクの半径方向に移動可能に支持され、前記光ディスクに記録されている情報を光学的に読み取る光ピックアップ部」に、また前記記号の２０５で示す“一対のガイドシャフト”は「光ピックアップ部の一端部を貫通支持するレール主軸と、光ピックアップ部の他端部を支持するレール副軸」に相当する。
　同様に“２０６はガイドシャフト２０５に平行で、円柱状の表面に螺旋溝２０７を有し、シャーシ２０１に設けられた一対の軸受け２０８により回転可能に設けられたリードスクリューである”は「光ピックアップ部の側方に配置され回転駆動されるネジ軸」に、また“ナット２０９は弾性的にリードスクリュー２０６に押圧している”“２０９は・・・（中略）・・・ピックアップ２０４に設けられたナットである”等は「ネジ軸と係合し、光ピックアップ部の一端部に固定される弾性力を有するアーム部」に、夫々相当する。
　
　よって、刊行物１記載の発明と本件発明１ないし３とは、
「光ディスクの半径方向に移動可能に支持され、前記光ディスクに記録されている情報を光学的に読み取る光ピックアップ部と、前記光ピックアップ部の側方に配置され回転駆動されるネジ軸と、前記光ピックアップ部の一端部を貫通支持するレール主軸と、前記光ピックアップ部の他端部を支持するレール副軸と、前記ネジ軸と係合し、前記光ピックアップ部の前記一端部に固定される弾性力を有するアーム部とを具備した光ピックアップ送り機構。」
で一致するものの、以下の点で相違する。
　
　　（１）本件発明１ではアーム部が「ネジ軸と上方から係合」するのに対して、刊行物１記載の発明にはこの点の構成がない点。
　　（２）本件発明１では「レール主軸を支点として光ピックアップ部の他端部をレール副軸に押圧する」のに対して、刊行物１記載の発明ではこの作用について明確でない点。　
　　（３）本件発明２では、アーム部の構成が「ネジ軸との係合接触面が前記レール副軸を押圧する光ピックアップ部の他端部の接触面と平行である」のに対して刊行物１記載の発明では、ネジ軸と上方からの係合でなく（前記相違点（１）で指摘）「平行である」構成がない点。
　　（４）本件発明３においては「アーム部は、光ピックアップ部と一体成型されている」のに対して、刊行物１記載の発明では一体形成である点。
　
　　２）判断
　先ず、上記相違点（２）について検討する。
　刊行物１記載の発明でも、上記３．２）に記載のように、その目的が“ ナット２０９にバネ性を持たせて歯２１０をリードスクリュー２０６の螺旋溝２０７に押圧し、ガタなく係合させている。このナット２０９がリードスクリュー２０６にバネ性をもって係合している”というものであれば、ガタのない係合とはピックアップ２０４自体のガタのない係合支持構成であるから、“ナット２０９”の弾性力はピックアップ２０４を介して本件発明１の「レール副軸」に相当する刊行物１記載の発明の“リードスクリュー２０６と反対側のガイドシャフト２０５”に伝達され、ピックアップ２０４から延長したガイドシャフト把持部（図面では略コ字形状）との間においても密着状態にあることは当然ないし自明である。
　要するに、客観的に判断して、ここには上記相違点（２）に記載の構成があると解される。
　
　次に、上記の相違点（１）について検討する。
　刊行物１記載の発明におけるアーム部の係合は、訂正後も本件発明の一実施例として記載が依然残る【図２】に係る構成に実質相当し（なお、この点で本件発明１は発明の詳細な説明との整合が明確でない）、このものは本件発明１の「アーム部」に相当する刊行物１記載の発明の“ナット２０９”が、同「ネジ軸」に相当する同“リードスクリュー２０６”の下方で弾性係合している構成のものである。
　ところで、一般に、部材を所定間隔を以て配置し、その部材間に支軸（支点）を設け、部材間を斜めに横断して前記一方（他方）の部材には上方で、前記他方（一方）の部材には下方で接触係合する構成の押圧力伝達手段は、例えば『てこ』『シーソー』ないし『鋏』『ペンチ』等で確認できる通常的技術である。そして、刊行物１記載の発明のものでは、他方（一方）の部材に相当する“リードスクリューと反対側のガイドシャフトの光ピックアップ部の端部構成”はコ字状形状把持部であって前記ガイドシャフトとは上方ないし下方の何れかで密着状での接触が可能であるから（図面参照）、一方（他方）部材に相当するナット２０９とリードスクリュー２０６との係合配置を上記相違点（１）のような「ネジ軸と上方から係合」としていく構成は当業者が必要に応じ適宜容易に想到し得るものである。
　また、当該相違点（１）に関して、特許権者は特許異議意見書で水平置き、縦置きを例示してピックアップとの相互作用を主張しているが、その主張の根拠となる、ピックアップの自重を考慮していくことでアーム部の弾性力の軽減につながるとの有機的関係はそもそも明細書に記載なく、前記自重を考慮していた事実もない。さらに、この点の記載ないし示唆がなくとも、当該技術分野において記載あるに等しい技術的範囲との理解もできない。
　仮に、前記ピックアップの自重を含めたものが本件発明１の構成として認識されるものであるならば、ピックアップの自重に対応して軽減できる弾性応力の解析、ピックアップ位置における弾性力軽重の影響等を少なくとも実施例レベルで開示しておく必要があるもこれも見あたらない。
　要するに、本件発明１の基本的な技術思想は、一実施例として残る【図２】も勘案していくと、
ピックアップの自重はそもそも考慮の必要なく、アーム部のネジ軸との係合が上方・下方何れであってもアーム部からの押圧力のみで十分必要とする弾性力が確保できていると解すべきものである
　よって、上記相違点（１）に係る特許異議意見書での主張は図面を見てたまたま推測した主観的範囲の主張と云えるもので、これを以て本件発明に特段有利な機能効果の存在を認めることはできない。
　なお、「上方」なる表現は、何に対応しての上方であるものか、漠としており技術的に必ずしも明確でない。単に「上方」というものであれば、刊行物１記載の発明における【００１４】に、係合構成として“上と横から抱いて”なる記載があり、刊行物１記載の発明にも同じ構成の記載がある。　
　
　上記相違点（３）について検討する。
　本件発明２の「アーム部」に相当する刊行物１記載の発明の“ナット２０９”は、同「ネジ軸」に相当する同“リードスクリュー２０６”との係合接触面が、同「レール副軸を押圧する光ピックアップ部の他端部の接触面」に相当する同“ガイドシャフト２０５を押圧する前記光ピックアップ部の他端部の接触面”と少なくとも平行部分を有していることは図面からも明らかである。
　そして、刊行物１記載の発明のものは平行面と共に、さらに湾曲させて手広に接触面積を確保してガタ防止するもので、これをあえて少ない面積である平行部分としていくことは構成要素の一部削除であり、上位概念的構成への移行であれば、必要に応じて適宜に成し得るものである。
　また、上記相違点（１）の構成としていく際においては「接触面と平行」なる構成は押圧バランスからも設計上自然であり、むしろ非平行構成が特異的であると解される。
　
　上記相違点（４）について検討する。
　一体形成物を一体成型としての構成は、部品数削減ないし経済的コストを考慮して周知自明の手法で適宜必要に応じて対応できるものであるから、上記相違点（４）は単なる設計的事項のものである。
　一体成型した場合であっても必要とする弾性力の確保ができることは自明である。
　
　そして、本件発明１ないし３の奏する効果も、上記刊行物１記載の発明及び周知技術等より当業者が十分に予測できるものであって、格別のものとは認められない。
　
　
　５．むすび
　以上のとおりであるから、訂正後の本件請求項１ないし３に係る発明は、取消理由通知で指摘した刊行物１に記載された発明と同一、または周知事項・技術常識等を適宜採用していくことで当業者が容易に発明をすることができたものであるから、特許法第２９条第１項第３号もしくは同第２９条第２項の規定に違反してされたものである。
　
　したがって、請求項１ないし３に係る発明は、特許法第１１３条第２号に該当し、取り消されるべきものである。
　
　よって、結論のとおり決定する。
【異議決定日】
平成１５年８月１９日（２００３．８．１９）
【訂正の要旨】
審決（決定）の【理由】欄参照。
（５４）【発明の名称】
光ピックアップ送り機構
（５７）【特許請求の範囲】
　【請求項１】　光ディスクの半径方向に移動可能に支持され、前記光ディスクに記録されている情報を光学的に読み取る光ピックアップ部と、前記光ピックアップ部の側方に配置され回転駆動されるネジ軸と、前記光ピックアップ部の一端部を貫通支持するレール主軸と、前記光ピックアップ部の他端部を支持するレール副軸と、前記ネジ軸と
上方から
上から下へ
　【請求項２】　前記アーム部は、前記ネジ軸との係合接触面が前記レール副軸を押圧する前記光ピックアップ部の前記他端部の接触面と平行であることを特徴とする請求項１記載の光ピックアップ送り機構。
　【請求項３】　前記アーム部は、前記光ピックアップ部と一体成型されていることを特徴とする請求項１記載の光ピックアップ送り機構。
【発明の詳細な説明】
　【０００１】
　【発明の属する技術分野】本発明は、光ピックアップ送り機構に関し、特に振動、騒音を抑制し、安定した光ピックアップ部の駆動を行う光ピックアップ送り機構に関する。
　【０００２】
　【従来の技術】図４（ａ）及び（ｂ）は、従来の光ピックアップ送り機構の一例として、光ディスク装置の光ピックアップ送り機構を説明するための正面図及び側面図である。従来の光ディスク装置の光ピックアップ送り機構は、図４（ａ）及び（ｂ）に示すように、光ディスクに記録された情報の光学的な読み取りを行う光ピックアップ部１１と、前記光ピックアップ部１１の側方に配置されたネジ軸１２と、前記光ピックアップ部１１の両端を移動可能に支持するレール主軸１３及びレール副軸１４と、前記ネジ軸１２に係合し前記光ピックアップ部１１を連結連動するアーム部１５と、さらに、前記ネジ軸１２を回転駆動する図示していない送りモータとから主に構成される。
　【０００３】さらに、前記光ピックアップ部１１は、該光ピックアップ部１１がレール主軸１３及びレール副軸１４に沿って摺動する際にガイドとして主に機能する前後一対の円筒部１１ａと、前記光ピックアップ部１１、前記レール主軸１３、及び前記レール副軸１４間相互の組み立て段階での寸法のばらつきを許容し、前記光ピックアップ部１１が前記レール副軸１４に確実に支持されるための凹部１１ｂとを有している。さらに、前記ネジ軸１２は、その表面に螺旋状に刻まれた螺旋溝１２ａを有し、前記光ピックアップ１１の前記円筒部１１ａの側方に配置され、図示していない送りモータにより回転駆動される。さらに、前記アーム部１５は、例えば合成樹脂の射出成型部品であって、前記光ピックアップ部１１の前記円筒部１１ａの底面に固定される取り付け部１５ａと、側方から前記ネジ軸１２の前記螺旋溝１２ａに係合する前記取り付け部１５ａに垂直な弾性力を有する歯部１５ｂとから構成される。
　【０００４】次に、このような従来の光ディスク装置の光ピックアップ送り機構の動作を図４（ａ）及び（ｂ）を参照して説明する。従来の光ディスク装置の光ピックアップ送り機構において、光ピックアップ部１１は、ネジ軸１２が任意方向に回転駆動することで、前記光ピックアップ部１１を軸支するレール主軸１３及びレール副軸１４の任意の軸方向に摺動され、光ディスクに記録された情報の光学的な読み取りを行う。すなわち、前記ネジ軸１２の回転は、前記ネジ軸１２の表面に刻まれた螺旋溝１２ａに弾性力を有する歯部１５ｂが係合するアーム部１５を介して、前記ピックアップ部１１に伝達され、前記光ピックアップ部１１は、軸支する前記レール主軸１３をガイド軸に、前記レール副軸１４を補助軸として光ディスクの半径方向に沿って摺動されることで、前記光ディスクの読み取りが行われる。
　【０００５】このように、従来の光ディスク装置の光ピックアップ送り機構は、ネジ軸１２の任意の回転がその表面に刻まれた螺旋溝１２ａに歯部１５ｂが弾性的に係合するアーム部１５を介して光ピックアップ部１１に伝達され、前記光ピックアップ部１１が移動可能に軸支するレール主軸１３及びレール副軸１４に沿って摺動することで光ディスクに記録された情報の光学的な読み取りが行われた。さらに、前記光ピックアップ部１１は、該光ピックアップ部１１が前記レール主軸１３及び前記レール副軸１４に沿って摺動する際にガイドとして主に機能する前後一対の円筒部１１ａと、前記光ピックアップ部１１、前記レール主軸１３、及び前記レール副軸１４間相互の組み立て段階での寸法のばらつきを許容し、前記光ピックアップ部１１が前記レール副軸１４に確実に支持されるための凹部１１ｂにより、光ディスクの半径方向に沿って摺動され、前記光ディスクの読み取りが行われた。
　【０００６】
　【発明が解決しようとする課題】しかしながら、従来の光ピックアップ送り機構には、次に列挙するような課題があった。すなわち、従来の光ピックアップ送り機構の光ピックアップ部１１は、軸支するレール主軸１３をガイド軸に、レール副軸１４を補助軸として光ディスクの半径方向に沿って摺動され前記光ディスクの読み取りを行っていたが、前記光ピックアップ部１１が前記レール副軸に確実に支持されるための前記光ピックアップ部１１の凹部１１ｂと前記レール副軸１４との間隙がガタとなって前記光ピックアップ部１１の安定した摺動を妨げていた。さらに、外部からの振動、例えば前記光ディスクを回転させるディスクモータの振動が伝搬されることで前記凹部１１ｂと前記レール副軸１４とが衝突して振動や騒音が発生していた。
　【０００７】また、光ピックアップ部の凹部とレール副軸とのガタを取り除いて前記光ピックアップ部を安定して摺動させ、さらに、前記凹部と前記レール副軸とが衝突して発生する振動、騒音を抑制する方法として、磁石による磁力やバネ等の弾性力を利用して前記光ピックアップ部の前記凹部と前記レール副軸とを圧接する方法が提案されているが、追加した部材よる光ピックアップ送り機構の性能に及ぼす影響もあり改善が望まれていた。
　【０００８】そこで、本発明の目的は、光ピックアップ部、レール主軸、及びレール副軸間相互の組み立て段階での寸法のばらつきを許容し、前記光ピックアップ部が前記レール副軸に確実に支持されるための前記光ピックアップ部の凹部と前記レール副軸との間隙による振動、騒音の発生を抑制し、安定した光ピックアップの駆動を行う光ピックアップ送り機構を提供することである。
　【０００９】
　【課題を解決するための手段】上述の課題を解決するために、本発明の光ピックアップ送り機構は、光ディスクの半径方向に移動可能に支持され、前記光ディスクに記録されている情報を光学的に読み取る光ピックアップ部と、前記光ピックアップ部の側方に配置され回転駆動されるネジ軸と、前記光ピックアップ部の一端部を貫通支持するレール主軸と、前記光ピックアップ部の他端部を支持するレール副軸と、前記ネジ軸と
上方から
上から下へ
　【００１０】
　【発明の実施の形態】次に、本発明の第１の実施の形態による光ピックアップ送り機構を図面を参照して説明する。
　【００１１】図１（ａ）及び（ｂ）は、本発明の第１の実施の形態による光ディスク装置の光ピックアップ送り機構において、光ピックアップ部を説明するための正面図及び側面図、（ｃ）は、本発明の一実施の形態による光ディスク装置の光ピックアップ送り機構において、アーム部の弾性力によりネジ軸、レール主軸、レール副軸に加わる力を方向及び大きさを示した説明図である。
　【００１２】本実施の形態による光ピックアップ送り機構は、光ディスク装置の光ピックアップ送り機構に適用したものであって、光ピックアップ部１と、前記光ピックアップ部１の側方に配置されたネジ軸２と、前記光ピックアップ部１の両端を支持するレール主軸３及びレール副軸４と、前記ネジ軸２に係合し前記光ピックアップ部１を連結連動するアーム部５と、さらに、前記ネジ軸を回転駆動する図示していない送りモータとから主に構成される。
　【００１３】さらに、前記光ピックアップ部１は、該光ピックアップ部１がレール主軸３及びレール副軸４に沿って摺動する際にガイドとして主に機能する前後一対の円筒部１ａと、前記光ピックアップ部１、前記レール主軸３、及び前記レール副軸４間相互の組み立て段階での寸法のばらつきを許容し、前記光ピックアップ部１が前記レール副軸４に確実に支持されるための凹部１ｂとを有している。さらに、前記ネジ軸２は、その表面に螺旋状に刻まれた螺旋溝２ａを有し、前記光ピックアップ１の前記円筒部１ａの側方に配置され、図示していないモータにより回転駆動される。さらに、前記アーム部５は、例えば合成樹脂の射出成型部品であって、前記光ピックアップ部１の前記円筒部１ａの底面に固定される取り付け部５ａと、上方から前記ネジ軸２の前記螺旋溝２ａに係合し前記光ピックアップ部１の前記凹部１ｂと前記レール副軸４との接触面に平行な弾性力を有する歯部５ｂと、前記取り付け部５ａと前記歯部５ｂとを連結し前記取り付け部５ａ及び前記歯部５ｂに対して斜交するアーム部本体５ｃとから構成される。
　【００１４】次に、本発明の第１の実施の形態による光ディスク装置の光ピックアップ送り機構の動作を図１（ａ）及び（ｂ）を参照して説明する。本発明の第１の実施の形態による光ディスク装置の光ピックアップ送り機構において、光ピックアップ部１は、ネジ軸２が任意方向に回転駆動することで、前記光ピックアップ部１を軸支するレール主軸３及びレール副軸４の任意の軸方向に摺動され、光ディスクに記録された情報の光学的な読み取りを行う。すなわち、前記ネジ軸２の回転は、前記ネジ軸２の表面に刻まれた螺旋溝２ａに歯部５ｂが弾性的に係合するアーム部５を介して、前記ピックアップ部１に伝達され、前記光ピックアップ部１は、軸支する前記レール主軸３をガイド軸に、前記レール副軸４を補助軸として光ディスクの半径方向に沿ってスムースに摺動されることで、前記光ディスクの円滑かつ確実な読み取りが行われる。また、前記光ピックアップ部１の凹部１ｂには、前記光ピックアップ部１の前記円筒部１ａを軸支する前記レール主軸３を支点として、前記ネジ軸２の前記螺旋溝２ａに係合する前記アーム部５の前記歯部５ｂの弾性力と釣り合う前記レール副軸４を押圧する下向きの力が加わる。
　【００１５】図１（ｃ）は、本発明の第１の実施の形態による光ディスク装置の光ピックアップ送り機構において、アーム部５の弾性力によりネジ軸２、レール主軸３、レール副軸４に加わる力の方向を示した説明図である。Ｆ１は、ネジ軸２に加わるアーム部５の歯部５ｂによる弾性力、Ｆ２は、前記光ピックアップ部１の凹部１ｂをレール副軸４に押圧する力、Ｌ１は、レール主軸３からネジ軸２までの距離、Ｌ２は、レール主軸３からレール副軸４までの距離である。前記光ピックアップ部１及び前記光ピックアップ部１に固定された前記アーム部５は、前記レール主軸３を支点としてネジ軸２側及びレール副軸４側がそれぞれ自由端となっており、前記アーム部５が前記ネジ軸２を押圧する弾性力Ｆ１と前記光ピックアップ部１の凹部１ｂが前記レール副軸４を押圧する力Ｆ２は釣り合っており、Ｆ１×Ｌ１＝Ｆ２×Ｌ１で示される力の釣り合い関係が成り立つ。すなわち、前記光ピックアップ部１の前記円筒部１ａを軸支する前記レール主軸３を支点として、前記ネジ軸２の上側から前記螺旋溝２ａに係合する歯部５ｂの弾性力Ｆ１と前記光ピックアップ部１の前記凹部１ｂが前記レール副軸４を押圧する力Ｆ２は釣り合い、前記光ピックアップ部１の前記凹部１ｂは、前記アーム部５の弾性力により前記ネジ軸２を加えられた力Ｆ１と釣り合うＦ２の力で前記レール副軸４を押圧し、前記凹部１ｂと前記レール副軸４との間のガタが解消され衝突による振動、騒音の発生を抑制する。また、前記アーム部５は、前記ネジ軸２との係合接触面である歯部５ｂと前記レール副軸４を押圧する前記光ピックアップ部１の前記凹部１ｂの接触面とが平行であることから、前記アーム部５の前記歯部５ｂにより生じる弾性力Ｆ１と前記光ピックアップ部１の前記凹部１ｂが前記レール副軸４を押圧する力Ｆ２は平行となり、前記アーム部５の前記歯部５ｂにより生じる弾性力Ｆ１に対して力を損失することなく前記光ピックアップ部１の前記凹部１ｂが前記レール副軸４を押圧する力Ｆ２が生じる。
　【００１６】よって、本発明の第１の実施の形態による光ピックアップ送り機構によれば、光ピックアップ部１の凹部１ｂには、前記光ピックアップ部１の円筒部１ａを軸支するレール主軸３を支点として、ネジ軸２の螺旋溝２ａに係合するアーム部５の歯部５ｂの下向きの弾性力と釣り合う力でレール副軸４を押圧する下向きの力が加わり、前記光ピックアップ部１の前記凹部１ｂと前記レール副軸４とは圧接されてガタがなくなるので、振動、騒音の発生が抑制され、安定した光ピックアップ部の駆動を行うことができる。しかも、前記光ピックアップ部１、前記レール主軸３、及び前記レール副軸４間相互の寸法のばらつきを許容し、前記レール副軸４に確実に支持されながら前記光ピックアップ１を前記レール主軸３及び前記レール副軸４に沿ってスムースに移動させることができる。また、前記アーム部５は、前記ネジ軸２との係合接触面である歯部５ｂと前記レール副軸４を押圧する前記光ピックアップ部１の前記凹部１ｂの接触面とが平行であることから、前記アーム部５の前記歯部５ｂにより生じる弾性力と前記光ピックアップ部１の前記凹部１ｂが前記レール副軸４を押圧する力は平行となり、弾性力を損失することなく前記光ピックアップ部１の前記凹部１ｂと前記レール副軸４を圧接することができる。
　【００１７】次に、本発明の第２の実施の形態による光ピックアップ送り機構を図面を参照して説明する。
　【００１８】図２（ａ）及び（ｂ）は、本発明の第２の実施の形態による光ディスク装置の光ピックアップ送り機構において、光ピックアップ部を説明するための正面図及び側面図である。
　【００１９】本実施の形態による光ピックアップ送り機構は、光ディスク装置の光ピックアップ送り機構に適用したものであって、光ピックアップ部１と、前記光ピックアップ部１の側方に配置されたネジ軸２と、前記光ピックアップ部１の両端を支持するレール主軸３及びレール副軸４と、前記ネジ軸２に係合し前記光ピックアップ部１を連結連動するアーム部６と、さらに、前記ネジ軸を回転駆動する図示していない送りモータとから主に構成される。
　【００２０】さらに、前記光ピックアップ部１は、該光ピックアップ部１がレール主軸３及びレール副軸４に沿って摺動する際にガイドとして主に機能する前後一対の円筒部１ａと、前記光ピックアップ部１、前記レール主軸３、及び前記レール副軸４間相互の組み立て段階での寸法のばらつきを許容し、前記光ピックアップ部１が前記レール副軸４に確実に支持されるための凹部１ｂとを有している。さらに、前記ネジ軸２は、その表面に螺旋状に刻まれた螺旋溝２ａを有し、前記光ピックアップ１の前記円筒部１ａの側方に配置され、図示していないモータにより回転駆動される。さらに、前記アーム部６は、例えば合成樹脂の射出成型部品であって、前記光ピックアップ部１の前記円筒部１ａの底面に固定される取り付け部６ａと、この取り付け部６ａに連結され、下方から前記ネジ軸２の前記螺旋溝２ａに係合し前記光ピックアップ部１の前記凹部１ｂと前記レール副軸４との接触面に平行な弾性力を有する歯部６ｂとから構成される。
　【００２１】次に、本発明の第２の実施の形態による光ディスク装置の光ピックアップ送り機構の動作を図２（ａ）及び（ｂ）を参照して説明する。本発明の第２の実施の形態による光ディスク装置の光ピックアップ送り機構において、光ピックアップ部１は、ネジ軸２が任意方向に回転駆動することで、前記光ピックアップ部１を軸支するレール主軸３及びレール副軸４の任意の軸方向に摺動され、光ディスクに記録された情報の光学的な読み取りを行う。すなわち、前記ネジ軸２の回転は、前記ネジ軸２の表面に刻まれた螺旋溝２ａに歯部６ｂが弾性的に係合するアーム部６を介して、前記ピックアップ部１に伝達され、前記光ピックアップ部１は、軸支する前記レール主軸３をガイド軸に、前記レール副軸４を補助軸として光ディスクの半径方向に沿ってスムースに摺動されることで、前記光ディスクの円滑かつ確実な読み取りが行われる。また、前記光ピックアップ部１の凹部１ｂには、前記光ピックアップ部１の前記円筒部１ａを軸支する前記レール主軸３を支点として、前記ネジ軸２の前記螺旋溝２ａに係合する前記アーム部６の前記歯部６ｂの弾性力と釣り合う前記レール副軸４を押圧する下向きの力が加わる。
　【００２２】よって、本発明の第２の実施の形態による光ピックアップ送り機構によれば、光ピックアップ部１の凹部１ｂには、前記光ピックアップ部１の円筒部１ａを軸支するレール主軸３を支点として、ネジ軸２の螺旋溝２ａに係合するアーム部６の歯部６ｂの上向きの弾性力と釣り合う力でレール副軸４を押圧する上向きの力が加わり、前記光ピックアップ部１の前記凹部１ｂと前記レール副軸４とは圧接されてガタがなくなるので、振動、騒音の発生が抑制され、安定した光ピックアップ部の駆動を行うことができる。しかも、前記光ピックアップ部１、前記レール主軸３、及び前記レール副軸４間相互の寸法のばらつきを許容し、前記レール副軸４に確実に支持されながら前記光ピックアップ１を前記レール主軸３及び前記レール副軸４に沿ってスムースに移動させることができる。また、前記アーム部６は、前記ネジ軸２との係合接触面である歯部６ｂと前記レール副軸４を押圧する前記光ピックアップ部１の前記凹部１ｂの接触面とが平行であることから、前記アーム部６の前記歯部６ｂにより生じる弾性力と前記光ピックアップ部１の前記凹部１ｂが前記レール副軸４を押圧する力は平行となり、弾性力を損失することなく前記光ピックアップ部１の前記凹部１ｂと前記レール副軸４を圧接することができる。さらに、本実施の形態では、アーム部６は、光ピックアップ部１の円筒部１ａの底面に固定される取り付け部６ａから横方向に連結された歯部６ｂにより下方からネジ軸２に係合しているので、前記ネジ軸２とレール主軸３との距離が短い場合であっても前記ネジ軸２と係合させることができる。
　【００２３】次に、本発明の第３の実施の形態による光ピックアップ送り機構を図面を参照して説明する。
　【００２４】図３（ａ）及び（ｂ）は、本発明の第３の実施の形態による光ディスク装置の光ピックアップ送り機構において、光ピックアップ部を説明するための正面図及び側面図である。
　【００２５】本実施の形態による光ピックアップ送り機構は、光ディスク装置の光ピックアップ送り機構に適用したものであって、光ピックアップ部１と、前記光ピックアップ部１の側方に配置されたネジ軸２と、前記光ピックアップ部１の両端を支持するレール主軸３及びレール副軸４と、さらに、前記ネジ軸を回転駆動する図示していない送りモータとから主に構成される。
　【００２６】さらに、前記光ピックアップ部１は、例えば合成樹脂の射出成型部品であって、該光ピックアップ部１がレール主軸３及びレール副軸４に沿って摺動する際にガイドとして主に機能する前後一対の円筒部１ａと、前記光ピックアップ部１、前記レール主軸３、及び前記レール副軸４間相互の組み立て段階での寸法のばらつきを許容し、前記光ピックアップ部１が前記レール副軸４に確実に支持されるための凹部１ｂとから構成される。さらに、上方から前記ネジ軸２の前記螺旋溝２ａに係合する前記光ピックアップ部１の前記凹部１ｂと前記レール副軸４との接触面に平行な弾性力をもつ歯部を有するアーム部１ｃが一体成型されている。さらに、前記ネジ軸２は、その表面に螺旋状に刻まれた螺旋溝２ａを有し、前記光ピックアップ１の前記円筒部１ａの側方に配置され、図示していないモータにより回転駆動される。
　【００２７】次に、本発明の第３の実施の形態による光ディスク装置の光ピックアップ送り機構の動作を図３（ａ）及び（ｂ）を参照して説明する。本発明の第３の実施の形態による光ディスク装置の光ピックアップ送り機構において、光ピックアップ部１は、ネジ軸２が任意方向に回転駆動することで、前記光ピックアップ部１を軸支するレール主軸３及びレール副軸４の任意の軸方向に摺動され、光ディスクに記録された情報の光学的な読み取りを行う。すなわち、前記ネジ軸２の回転は、光ピックアップ部１と一体成型され前記ネジ軸２の表面に刻まれた螺旋溝２ａに係合する歯部を有するアーム部１ｃを介して、前記ピックアップ部１に伝達され、前記光ピックアップ部１は、軸支する前記レール主軸３をガイド軸に、前記レール副軸４を補助軸として光ディスクの半径方向に沿ってスムースに摺動されることで、前記光ディスクの円滑かつ確実な読み取りが行われる。また、前記光ピックアップ部１の凹部１ｂには、前記光ピックアップ部１の前記円筒部１ａを軸支する前記レール主軸３を支点として、前記ネジ軸２の前記螺旋溝２ａに係合する前記アーム部１ｃの歯部の弾性力と釣り合う前記レール副軸４を押圧する下向きの力が加わる。
　【００２８】よって、本発明の第３の実施の形態による光ピックアップ送り機構によれば、光ピックアップ部１の凹部１ｂには、前記光ピックアップ部１の円筒部１ａを軸支するレール主軸３を支点として、前記光ピックアップ部１と一体成型されたネジ軸２の螺旋溝２ａに係合するアーム部１ｃの歯部の下向きの弾性力と釣り合う力でレール副軸４を押圧する下向きの力が加わり、前記光ピックアップ部１の前記凹部１ｂと前記レール副軸４とは圧接されてガタがなくなるので、振動、騒音の発生が抑制され、安定した光ピックアップ部の駆動を行うことができる。しかも、前記光ピックアップ部１、前記レール主軸３、及び前記レール副軸４間相互の寸法のばらつきを許容し、前記レール副軸４に確実に支持されながら前記光ピックアップ１を前記レール主軸３及び前記レール副軸４に沿ってスムースに移動させることができる。さらに、本実施の形態では、光ピックアップ部１とアーム部１ｃが一体成型されているので、光ピックアップ送り機構の構成部品点数が減り、組立工程の簡略化を図ることができる。
　【００２９】
　【発明の効果】以上説明した通り、本発明の光ピックアップ送り機構によれば、光ピックアップ部と、前記光ピックアップ部の側方に配置され回転駆動されるネジ軸と、前記光ピックアップ部の一端部を貫通支持するレール主軸と、前記光ピックアップ部の他端部を支持するレール副軸と、前記ネジ軸と係合し、前記光ピックアップ部の前記一端部に固定される弾性力を有するアーム部とを具備し、前記アーム部の弾性力を有する自由端が前記ネジ軸に係合されることにより、前記レール主軸を支点として前記光ピックアップ部の他端部を前記アーム部の弾性力と釣り合う力でレール副軸に押圧する。よって、光ピックアップ部は、前記レール副軸に確実に支持されながら、前記レール主軸及び前記レール副軸に沿ってスムースに移動させることができる。また、光ピックアップ部とレール副軸との間隙によるガタが圧接されてなくなるので、振動、騒音の発生が抑制されて安定した光ピックアップ部の駆動を行うことができる。さらに、前記アーム部は、前記ネジ軸との係合接触面が前記レール副軸を押圧する前記光ピックアップ部の接触面と平行であることから、前記アーム部により生じる弾性力と前記光ピックアップ部が前記レール副軸を押圧する力は平行となり、弾性力を損失することなく前記光ピックアップ部を前記レール副軸に圧接することができる。さらに、前記光ピックアップ部とアーム部とを一体成型すれば、光ピックアップ送り機構の構成部品点数が減り、組立工程の簡略化を図ることができる。
【図面の簡単な説明】
　【図１】（ａ）及び（ｂ）は、本発明の第１の実施の形態による光ディスク装置の光ピックアップ送り機構において、光ピックアップ部を説明するための正面図及び側面図、（ｃ）は、本発明の一実施の形態による光ディスク装置の光ピックアップ送り機構において、アーム部の弾性力によりネジ軸、レール主軸、レール副軸に加わる力を方向及び大きさを示した説明図である。
　【図２】（ａ）及び（ｂ）は、本発明の第２の実施の形態による光ディスク装置の光ピックアップ送り機構において、光ピックアップ部を説明するための正面図及び側面図である。
　【図３】（ａ）及び（ｂ）は、本発明の第３の実施の形態による光ディスク装置の光ピックアップ送り機構において、光ピックアップ部を説明するための正面図及び側面図である。
　【図４】（ａ）及び（ｂ）は、従来の光ピックアップ送り機構の一例として、光ディスク装置の光ピックアップ送り機構の光ピックアップ部を説明するための正面図及び側面図である。
　【符号の説明】
　１　　　　　　光ピックアップ部
　１ａ　　　　　円筒部
　１ｂ　　　　　凹部
　２　　　　　　ネジ軸
　２ａ　　　　　螺旋溝
　３　　　　　　レール主軸
　４　　　　　　レール副軸
　１ｃ、５、６　アーム部